(57)【特許請求の範囲】
【請求項１】
ブロック本体と該ブロック本体に充填される中詰め石とからなり、ブロック本体は前壁、後壁、左右側壁とからなる枠体の下端部前寄りに形成された底板とからなり、左右側壁の上端部に台形状の突起が形成されるとともに左右側壁の下端部に台形状の窪みが形成され、且つ前記底板が前壁および左右側壁の下端部と一体化されるとともに後壁の下端部とは間隙が形成され、該底板の後端部には立上部が設けられ、該立上部と前壁間に土溜め部が形成され、さらに前壁には開口部が形成され、左右側壁は前壁および後壁の左右端部より内寄りに設けられるとともに開口部が形成され、後壁の上端部には水平方向のスリットが形成され、且つ前壁に形成された前記開口部は前記立上部の上端より高い位置に設けられると共に、該立上部の上端を前記左右側壁の上端より低く位置させたことを特徴とする環境共生型緑化用擁壁ブロック。
【請求項２】
請求項１に記載の環境共生型緑化用擁壁ブロックに使用されるブロック本体であって、該ブロック本体は前壁、後壁、左右側壁とからなる枠体の下端部前寄りに形成された底板とからなり、左右側壁の上端部に台形状の突起が形成されるとともに左右側壁の下端部に台形状の窪みが形成され、且つ前記底板が前壁および左右側壁の下端部と一体化されるとともに後壁の下端部とは間隙が形成され、該底板の後端部には立上部が設けられ、該立上部と前壁間に土溜め部が形成され、さらに前壁には開口部が形成され、左右側壁は前壁および後壁の左右端部より内寄りに設けられるとともに開口部が形成され、後壁の上端部には水平方向のスリットが形成され、且つ前壁に形成された前記開口部は前記立上部の上端より高い位置に設けられると共に、該立上部の上端を前記左右側壁の上端より低く位置させたことを特徴とする環境共生型緑化用擁壁ブロックに使用されるブロック本体。
【請求項３】
前壁には石積み模様の装飾が形成されてなる請求項２に記載の環境共生型緑化用擁壁ブロックに使用されるブロック本体。
【発明の詳細な説明】
【０００１】
【発明の属する技術分野】
本発明は、河川の護岸、道路や公園の法面の擁壁等に使用される環境共生型緑化用擁壁ブロック及びそのブロックに使用されるブロック本体に関するものである。
【０００２】
【従来の技術】
従来、河川の護岸、道路や公園の法面の擁壁等に直方体状の鉄線籠や箱型のコンクリートブロックに中詰め石が充填されたものが適宜積み上げられて使用されている。
【０００３】
しかし中詰め石が充填された直方体状の鉄線籠の場合、通常充填された中詰め石の上部に緑化用覆土をしても石の空隙部に土が吸い込まれたり、雨水や流水により浸食され、植生基盤としての機能が低下するとともに、緑化が図れないと鉄線籠がよく目立ち景観が損なわれるという欠点がある。
【０００４】
また中詰め石が充填された箱型のコンクリートブロックの場合も、底板のない枠だけのブロックでは、雨水や流水により中詰め石の上部に施した緑化用覆土が浸食され、緑化が図れないという欠点があり、底板を設けたコンクリートブロックの場合は、緑化用覆土の流出は避けられるが、コンクリートブロックに阻まれて小動物や魚類等の移動ができず、生物の生息、生育環境が著しく阻害され、悪化する。
【０００５】
【発明が解決しようとする課題】
本発明は上述の直方体状の鉄線籠や箱型のコンクリートブロックの問題点を解決し、箱型のコンクリートブロックであっても緑化用覆土の流出は避けられるとともに小動物や魚類等の移動が阻まれず、良好な生育環境が保たれる環境共生型緑化用擁壁ブロック及びそのブロックに使用されるブロック本体を提供するものである。
【０００６】
【課題を解決するための手段】
すなわち本発明環境共生型緑化用擁壁ブロックは、ブロック本体と該ブロック本体に充填される中詰め石とからなり、ブロック本体は前壁、後壁、左右側壁とからなる枠体の下端部前寄りに形成された底板とからなり、左右側壁の上端部に台形状の突起が形成されるとともに左右側壁の下端部に台形状の窪みが形成され、且つ前記底板が前壁および左右側壁の下端部と一体化されるとともに後壁の下端部とは間隙が形成され、該底板の後端部には立上部が設けられ、該立上部と前壁間に土溜め部が形成され、さらに前壁には開口部が形成され、左右側壁は前壁および後壁の左右端部より内寄りに設けられるとともに開口部が形成され、後壁の上端部には水平方向のスリットが形成され、且つ前壁に形成された前記開口部は前記立上部の上端より高い位置に設けられると共に、該立上部の上端を前記左右側壁の上端より低く位置させたことを特徴とするものである。
【０００７】
また本発明に係るブロック本体は、前記環境共生型緑化用擁壁ブロックに使用されるブロック本体であって、該ブロック本体は前壁、後壁、左右側壁とからなる枠体の下端部前寄りに形成された底板とからなり、左右側壁の上端部に台形状の突起が形成されるとともに左右側壁の下端部に台形状の窪みが形成され、且つ前記底板が前壁および左右側壁の下端部と一体化されるとともに後壁の下端部とは間隙が形成され、該底板の後端部には立上部が設けられ、該立上部と前壁間に土溜め部が形成され、さらに前壁には開口部が形成され、左右側壁は前壁および後壁の左右端部より内寄りに設けられるとともに開口部が形成され、後壁の上端部には水平方向のスリットが形成され、且つ前壁に形成された前記開口部は前記立上部の上端より高い位置に設けられると共に、該立上部の上端を前記左右側壁の上端より低く位置させたことを特徴とするものである。
【０００８】
さらにまた本発明環境共生型緑化用擁壁ブロックに使用されるブロック本体は、前壁には石積み模様の装飾が形成されてなるものである。
【０００９】
【発明の実施の形態】
以下図面を参照しながら本発明環境共生型緑化用擁壁ブロック及びそのブロックに使用されるブロック本体について詳述する。
【００１０】
図面においてＡは本発明環境共生型緑化用擁壁ブロックである。該擁壁ブロックＡはブロック本体Ｂと中詰め石Ｃとからなる。ブロック本体Ｂは、前壁１、後壁２、左右側壁３とからなる枠体の前寄りに形成された底板４とからなる。
【００１１】
前壁１は横長の方形板であり、その前面には通常石積み模様等の装飾１１が施されている。また、前壁１には開口部１２が形成されている。該開口部１２は横長の大きいものが１個設けられてもよいし、小さなものが２〜５個程度設けられてもよく、小さい場合は長方形、円形、小判形等の形状であってもよく、かつ開口部１２が複数個設けられる場合は適宜傾斜させたり、千鳥状に配置されてもよい。また該開口部１２は通常内部の土砂が流出しないように後述の立上部の上端より高い位置に設けられている。
【００１２】
後壁２は前壁１と同形状の方形板であり、通常後壁２の下端部が前壁１側に近く、後壁２の上端部が前壁１から遠くなるごとく傾斜されている。また後壁２の上端部には、背面からの水分の供給が図れるように厚み方向のスリット２１が形成されている。
【００１３】
側壁３は前壁１と後壁２とを接続するものであって、左右で一対となされ、該左右側壁３、３は前壁１および後壁２の左右端部より内寄りに設けられるのがよい。該側壁３の上端部には後ろ寄りに台形状の突起３１が形成されるとともに、側壁３の下端部には中央寄りと前壁寄りの少なくとも二箇所に台形状の窪み３２が形成されている。また側壁３にも開口部３３が形成されている。
【００１４】
底板４は前壁１、後壁２、左右側壁３、３とからなる枠体の下端部前寄りに形成されたものであり、該底板４にも開口部４１が形成されている。また、底板４の後端部には立上部４２が形成されており、該立上部４２と前壁１間に土溜め部４３が形成されている。該土溜め部４３の深さは５〜２０ｃｍ程度であればよい。
【００１５】
なお、図中Ｄは植生土、Ｅは植物、Ｆは吸出し防止材、Ｇは裏込め砕石、Ｈは基礎砕石、Ｊは基礎コンクリートである。
【００１６】
つぎに本発明の実施例について述べる。ブロック本体Ｂは前壁１、後壁２、左右側壁３とからなる枠体の前寄りに形成された底板４とからなり、その寸法は横幅１９９８ｍｍ、高さ５００ｍｍ、奥行き１０００ｍｍ程度となされている。前壁１には縦幅９０ｍｍ、横幅２５０ｍｍ程度の開口部１２が２個穿設されているとともに、表面には石積み模様の装飾１１が形成されている。
【００１７】
後壁２は後方に２０度倒されており、かつ後壁２の上端部には厚み方向に幅１０ｍｍ程度のスリット２１が二箇所形成されている。
【００１８】
左右側壁３、３は前壁１の左右端部より２９９ｍｍ内寄りに設けられており、かつ該側壁３の上端部には後ろ寄りに底辺１３５ｍｍ、上辺９０ｍｍ、高さ５８ｍｍの台形状の突起３１が形成されるとともに、側壁３の下端部には中央寄りと前壁寄りの二箇所にそれぞれ底辺１４０ｍｍ、上辺１００ｍｍ、高さ６０ｍｍの台形状の窪み３２が形成されている。また側壁３、３にも横幅４００ｍｍ、縦幅１２５ｍｍの開口部３３が各１個形成されている。
【００１９】
底板４は後壁２との間に２００ｍｍの間隙４４が形成されており、該底板４にも横幅４００ｍｍ、縦幅１２５ｍｍの開口部４１が形成されている。また、底板４の後端部には高さ１５０ｍｍの断面台形状の立上部４２が形成されており、該立上部４２と前壁１間に深さ１５０ｍｍの土溜め部４３が形成されている。
【００２０】
上記ブロック本体Ｂの底板４の開口部４１に吸出し防止材Ｆを設けた後、中詰め石Ｃのみを詰めた水面下用の擁壁ブロックＡ１と、上記ブロック本体Ｂの土溜め部４３に植生土Ｄを充填した後、その上に中詰め石Ｃを詰め、さらに中詰め石Ｃの上部前側を植生土Ｄで覆った陸上用の擁壁ブロックＡ２とを製造した。
【００２１】
しかして河岸の所定箇所を川底より深く掘り下げ、基礎砕石Ｈを敷きつめた上に基礎コンクリートＪを形成後、最下段の水面下用擁壁ブロックＡ１を設置し、次いで該擁壁ブロックＡ１の背面に吸出し防止材Ｆを設け、その後方に裏込め砕石Ｇを充填する。次いで、最下段の水面下用擁壁ブロックＡ１の上に二段目の水面下用擁壁ブロックＡ１を積む。そのとき二段目の水面下用擁壁ブロックＡ１の窪み３２を最下段の水面下用擁壁ブロックＡ１の突起３１に嵌合させる。そして二段目の水面下用擁壁ブロックＡ１の背面にも吸出し防止材Ｆを設け、裏込め砕石Ｇを充填する。このように水面下用擁壁ブロックＡ１を水面近くまで積み上げた後、陸上用擁壁ブロックＡ２を所定高さまで積み上げ、擁壁とする。次いで陸上用擁壁ブロックＡ２の前壁１の開口部１２を介して土溜め部４３の植生土Ｄに植物Ｅを植えるとともに表面の植生土Ｄにも植物Ｅを植えつけ、環境共生型緑化用擁壁とした。
【００２２】
なお、上記施工例では、予め作製した水面下用擁壁ブロックＡ１と陸上用擁壁ブロックＡ２を使用したが、１個当たりの重量が大きくなり、作業性、安全性等の面で支障がある場合は、空のブロック本体Ｂを積み上げつつ、最下段のブロック本体Ｂから順次中詰め石Ｃ、植生土Ｄ等を充填し、施工現場で水面下用擁壁ブロックＡ１、陸上用擁壁ブロックＡ２としてもよい。
【００２３】
擁壁ブロックＡを積み上げる際、左右側壁３、３の前壁寄りの窪み３２を使用すれば、図８のごとき５分勾配の擁壁となり、中央寄りの窪み３２を使用すれば、図９のごとき１割勾配の擁壁となるので、施工現場の地形等に応じて適宜使い分ければよい。
【００２４】
【発明の効果】
以上詳述した如く、本発明環境共生型緑化用擁壁ブロックは、ブロック本体と該ブロック本体に充填される中詰め石とからなり、ブロック本体は前壁、後壁、左右側壁とからなる枠体の下端部前寄りに形成された底板とからなり、左右側壁の上端部に台形状の突起が形成されるとともに左右側壁の下端部に台形状の窪みが形成されてなるので、該擁壁ブロックを積み上げ、擁壁とする際に下段の擁壁ブロックの台形状の突起に、上段の擁壁ブロックの台形状の窪みに嵌合させることにより、擁壁を積み上げることができる。
【００２５】
また本発明環境共生型緑化用擁壁ブロックは、底板が前壁および左右側壁の下端部と一体化され、後壁の下端部とは間隙が形成されるとともに、該底板の後端部には立上部が設けられ、該立上部と前壁間に土溜め部が形成されているので、土溜め部に植生土を充填することにより植物を繁茂させることができる。
【００２６】
さらに本発明環境共生型緑化用擁壁ブロックは、前壁には開口部が形成され、左右側壁は前壁および後壁の左右端部より内寄りに設けられるとともに開口部が形成され、後壁の上端部には水平方向のスリットが形成されているので、該擁壁ブロックが水中で積み上げられると該開口部を介して魚巣ができたり、水生昆虫等が繁殖しやすく、水面より高所に積み上げられると該開口部を介して昆虫、小動物等が繁殖しやすく、かつ前壁の開口部には植物が繁茂し、擁壁ブロック上面の植生土にも植物が繁茂することから擁壁構築前の生態系を復活することができる。
【００２７】
さらにまた本発明環境共生型緑化用擁壁ブロックに使用されるブロック本体は、前壁に石積み模様の装飾が形成されてなる場合は該ブロック本体がコンクリート製であっても違和感がなく、環境が保護され、自然環境と調和する。
【図面の簡単な説明】
【図１】  本発明環境共生型緑化用擁壁ブロックの施工状態の一例を示す正面図であって、右半分は植物が繁茂した状態、左半分は繁茂前を示す。
【図２】  本発明環境共生型緑化用擁壁ブロックに使用されるブロック本体の一例を示す平面図である。
【図３】  本発明環境共生型緑化用擁壁ブロックに使用されるブロック本体の一例を示す正面図である。
【図４】  本発明環境共生型緑化用擁壁ブロックに使用されるブロック本体の一例を示す側面図である。
【図５】  本発明環境共生型緑化用擁壁ブロックに使用されるブロック本体の一例を示す断面図である。
【図６】  本発明環境共生型緑化用擁壁ブロックを積み上げた擁壁の一例を示す断面図である。
【図７】  本発明環境共生型緑化用擁壁ブロックを積み上げた擁壁の他の例を示す断面図である。
【図８】  本発明環境共生型緑化用擁壁ブロックの５分勾配の施工状態の一例を示す説明図である。
【図９】  本発明環境共生型緑化用擁壁ブロックの１割勾配の施工状態の一例を示す説明図である。
【符号の説明】
Ａ    擁壁ブロック
Ａ１  水面下用擁壁ブロック
Ａ２  陸上用擁壁ブロック
Ｂ    ブロック本体
Ｃ    中詰め石
Ｄ    植生土
Ｅ    植物
Ｆ    吸出し防止材
Ｇ    裏込め砕石
Ｈ    基礎砕石
Ｊ    基礎コンクリート
１    前壁
１１  装飾
１２  開口部
２    後壁
２１  スリット
３    側壁
３１  突起
３２  窪み
３３  開口部
４    底板
４１  開口部
４２  立上部
４３  土溜め部
４４  間隙
【図１】
0004295405.tif 000002
【図２】
0004295405.tif 000003
【図３】
0004295405.tif 000004
【図４】
0004295405.tif 000005
【図５】
0004295405.tif 000006
【図６】
0004295405.tif 000007
【図７】
0004295405.tif 000008
【図８】
0004295405.tif 000009
【図９】
0004295405.tif 000010